(57)【特許請求の範囲】
【請求項１】
レリーズボタンの押下動作により被写体像を撮像し、該撮像により取得されたデジタル画像データを記録媒体に記録するデジタルカメラにおいて、
前記デジタル画像データを表示する表示手段と、
前記記録媒体に記録されたデジタル画像データを前記表示手段に再生する再生モード時において、前記デジタル画像データのプリント時における注文枚数を設定し、該注文枚数の設定後前記再生モードが他のモードに切り換えられたときに前記注文枚数を確定する注文枚数設定手段とを備えたことを特徴とするデジタルカメラ。
【請求項２】
レリーズボタンの押下動作により被写体像を撮像し、該撮像により取得されたデジタル画像データを記録媒体に記録するデジタルカメラにおいて、
前記撮像が可能なとき以外に、前記デジタル画像データのプリント時における注文枚数を設定し、前記注文枚数の設定後カメラの電源が切断されたときに前記注文枚数を確定する注文枚数設定手段を備えたことを特徴とするデジタルカメラ。
【請求項３】
レリーズボタンの押下動作により被写体像を撮像し、該撮像により取得されたデジタル画像データを記録媒体に記録するデジタルカメラにおいて、
前記デジタル画像データを表示する表示手段と、
前記記録媒体に記録されたデジタル画像データを前記表示手段に再生する再生モード時において、前記表示手段に再生される画像を切り換える画像切換手段と、
前記再生モード時において、前記デジタル画像データのプリント時における注文枚数を設定し、該注文枚数の設定後前記画像切換手段を操作することにより、前記注文枚数を確定する注文枚数設定手段とを備えたことを特徴とするデジタルカメラ。
【請求項４】
前記注文枚数設定手段は、前記レリーズボタンを押下するごとに前記注文枚数を変更する手段であることを特徴とする請求項１から３のいずれか１項記載のデジタルカメラ。
【請求項５】
前記注文枚数設定手段は、前記レリーズボタンを所定時間押下することにより、前記注文枚数を連続的に変更する手段であることを特徴とする請求項１から４のいずれか１項記載のデジタルカメラ。
【請求項６】
前記注文枚数設定手段は、前記レリーズボタンを所定時間押下することにより、前記注文枚数をゼロとする手段であることを特徴とする請求項１から４のいずれか１項記載のデジタルカメラ。
【請求項７】
前記記録媒体に記録された前記デジタル画像データを再生する再生モード時において前記デジタル画像データを表示する表示手段をさらに備えたことを特徴とする請求項２記載のデジタルカメラ。
【請求項８】
前記再生モード時において、前記表示手段に再生される画像を切り換える画像切換手段をさらに備えたことを特徴とする請求項１または７記載のデジタルカメラ。
【請求項９】
前記注文枚数設定手段は、前記再生モード時において、前記レリーズボタンを押下するとともに、前記画像切換手段を操作することにより前記注文枚数を変更する手段であることを特徴とする請求項３または８記載のデジタルカメラ。
【請求項１０】
前記注文枚数設定手段は、前記レリーズボタンを押下した状態において前記画像切換手段を操作するごとに前記注文枚数を変更する手段であることを特徴とする請求項９記載のデジタルカメラ。
【請求項１１】
前記注文枚数設定手段は、前記レリーズボタンを押下した状態において前記画像切換手段を所定時間操作することにより、前記注文枚数を連続的に変更する手段であることを特徴とする請求項９または１０記載のデジタルカメラ。
【請求項１２】
前記注文枚数設定手段は、前記レリーズボタンを押下した状態において、前記画像切換手段を所定時間操作することにより、前記注文枚数をゼロとする手段であることを特徴とする請求項９または１０記載のデジタルカメラ。
【発明の詳細な説明】
【０００１】
【発明の属する技術分野】
本発明はデジタルカメラに関し、とくに撮影により取得したデジタル画像データをプリントする際の注文枚数を設定可能なデジタルカメラに関するものである。
【０００２】
【従来の技術】
デジタル電子スチルカメラ（以下デジタルカメラとする）においては、撮像により取得した画像をデジタル画像データとしてデジタルカメラ内部に設けられた内部メモリやＩＣカードなどの記録媒体に記録し、記録されたデジタル画像データに基づいて、プリンタやモニタに撮像により取得した画像を表示することができる。また、このようなデジタルカメラとして、液晶モニタを備えたものも知られている。このように液晶モニタを備えたデジタルカメラにおいては、撮像した画像を直ちに液晶モニタに表示することができる。
【０００３】
一方、近年銀塩フイルムの片面に磁気情報を記録可能な磁気記録部を設けたフイルムが提案されている。このようなフイルムの磁気記録部には、撮影の日時、プリント枚数、タイトルなどを磁気情報として記録することができ、プリントの際にはこの磁気情報を読み取って種々のプリントを行うことができる。また、このようなフイルムを使用する際に、フイルムの磁気記録部にプリント時の注文枚数を記録可能なカメラが提案されている（例えば特開平８−１１０５６６号公報）。この特開平８−１１０５６６号公報に記載されたカメラにおいては、注文枚数を設定するためのスイッチおよび注文枚数を変更するためのスイッチをカメラに設け、このスイッチを操作することにより、フイルムの磁気記録部に注文枚数を記録することができる。
【０００４】
しかしながら、カメラに設けられる操作ボタンのスペースには限りがあるため、上述したような注文枚数を設定するためのスイッチを設けることは、カメラが大型化してしまう。このため、日付や時刻を表示するモードを切り換えるボタン、日付や時刻を修正するボタンなど既存のボタンを使用して、プリント時の注文枚数を設定できるようにしたカメラが提案されている（例えば特開平９−２１１６７７号公報）。
【０００５】
【発明が解決しようとする課題】
上述したデジタルカメラにおいては、撮像により取得したデジタル画像データをプリントする際の注文枚数を設定する機能が搭載されておらず、上記特開平８−１１０５６６号や特開平９−２１１６７７号に記載されたカメラと同様に、注文機能を有するものとすることが望まれている。この際、モニタを有するデジタルカメラは、撮像された画像をモニタによって確認することができるため、このようなデジタルカメラ特有の機能を考慮する必要もある。さらに、カメラ本体のスペースの関係上、操作するためのボタンを増加させないようにすることも必要である。
【０００６】
本発明は上記事情に鑑みなされたものであり、操作するためのボタンを増加させることなく、プリント時の注文枚数を設定することができるデジタルカメラを提供することを目的とするものである。
【０００７】
【課題を解決するための手段】
本発明によるデジタルカメラは、レリーズボタンの押下動作により被写体像を撮像し、該撮像により取得されたデジタル画像データを記録媒体に記録するデジタルカメラにおいて、
前記撮像が可能なとき以外に、前記レリーズボタンの押下動作に基づいて、前記デジタル画像データのプリント時における注文枚数を設定する注文枚数設定手段を備えたことを特徴とするものである。
【０００８】
ここで、「撮像が可能なとき」とは、デジタルカメラのレリーズボタンを押下することによりシャッタが駆動され得る状態のことをいう。また、デジタルカメラにおいては、レリーズボタンを押下した後、取得したデジタル画像データを記録媒体に記録するために通常３秒程度、レリーズボタンを押下してもシャッタが駆動されない状態が存在する。したがって、「撮像が可能なとき以外」とは、撮像後デジタル画像データを記録媒体に記録している間、あるいは撮影モード、再生モードなどにモードを切り換え可能なカメラにおいては、撮影を行うことができない再生モードにある状態など、レリーズボタンを押下してもシャッタを駆動して撮影を行うことができない状態のことをいうものである。
【０００９】
また、本発明によるカメラにおいては、前記注文枚数設定手段を、前記レリーズボタンを押下するごとに注文枚数を変更する手段としてもよく、前記レリーズボタンを所定時間押下することにより、注文枚数を連続的に変更する手段としてもよい。さらに、前記注文枚数設定手段を、前記レリーズボタンを所定時間押下することにより、注文枚数をゼロとする手段としてもよい。
【００１０】
さらに、本発明によるデジタルカメラを、前記デジタル画像データを表示する表示手段と、前記記録媒体に記録されたデジタル画像データを前記表示手段に再生する再生モード時において、前記表示手段に再生される画像を切り換える画像切換手段とをさらに備えるものとし、
前記注文枚数設定手段を、前記再生モード時において、前記レリーズボタンを押下するとともに、前記画像切換手段を操作することにより注文枚数を変更する手段とすることが好ましい。
【００１１】
また、この場合、前記注文枚数設定手段を、前記レリーズボタンを押下した状態において前記画像切換手段を操作するごとに注文枚数を変更する手段としてもよく、前記レリーズボタンを押下した状態において前記画像切換手段を所定時間操作することにより、注文枚数を連続的に変更する手段としてもよく、さらに前記レリーズボタンを押下した状態において、前記画像切換手段を所定時間操作することにより、注文枚数をゼロとする手段としてもよい。
【００１２】
さらに、前記注文枚数設定手段を、前記注文枚数の変更後前記レリーズボタンを押下しない状態において前記画像切換手段を操作することにより、前記注文枚数を確定する手段としてもよく、前記注文枚数の変更後前記再生モードが他のモードに切り換えられたときに前記注文枚数を確定する手段としてもよく、さらに前記注文枚数の変更後カメラの電源が切断されたときに前記注文枚数を確定する手段としてもよい。
【００１３】
なおここで、「他のモード」とは、撮像を行うカメラモードや、撮像により得られた画像データを消去する消去モード等のことをいう。
【００１４】
【発明の効果】
本発明のデジタルカメラによれば、レリーズボタンを押下してもシャッタを駆動して撮影を行うことができない状態のときに、レリーズボタンの押下動作に基づいてデジタル画像データの注文枚数を設定するようにしたため、新たな操作ボタンを増加させることなく、デジタルカメラに対して注文枚数を設定する機能を搭載することができる。
【００１５】
また、撮像した画像を表示する表示手段を有するデジタルカメラにおいては、撮像された画像を確認しながら、注文枚数を設定することができる。
【００１６】
【発明の実施の形態】
以下図面を参照して本発明の実施形態について説明する。
【００１７】
図１は本発明の実施形態によるデジタルカメラの構成を示す背面斜視図である。図１に示すように、本発明の実施形態によるデジタルカメラは、カメラ本体１と、カメラ本体１の背面に設けられた液晶モニタ（以下モニタとする）２と、撮像を行うためのレリーズボタン３と、モニタ２の文字表示をオン／オフするための表示オン／オフボタン４と、後述するようにしてモニタ２に表示される画像を切り換えるあるいは注文枚数を変更するインクリメントボタン５およびデクリメントボタン６と、種々の処理を実行させるための実行ボタン７と、カメラモード、再生モードおよび消去モードなどカメラのモードを設定するためのモード設定ダイヤル８と、デジタルカメラの電源をオン／オフするための電源スイッチ９とを備える。
【００１８】
ここで、モード設定ダイヤル８において設定されるカメラモードとは、デジタルカメラにより撮影を行う、すなわち撮像により取得された画像データを後述するメモリカードに格納するモードであり、再生モードとはメモリカードに記録された画像データをモニタ２に表示して再生するモードであり、消去モードとはカメラ本体１内に設けられたメモリカードに記録された不要な画像データを消去するあるいはメモリカードのフォーマットを行うモードである。
【００１９】
また、モニタ２には撮像するあるいは撮像された画像の他、モード設定ダイヤル８により設定されたモードや、撮像時の露光状態、および注文枚数などが文字として表示される。
【００２０】
次いで、本実施形態の動作について説明する。
【００２１】
まず、カメラがモード設定ダイヤル８によりカメラモードおよび消去モードに設定されている場合については、既知のデジタルカメラの動作と同一であるため説明を省略し、ここでは再生モードに設定されている場合についてのみ説明する。
【００２２】
図２は本実施形態によるカメラが再生モードに設定されている場合の処理を説明するためのフローチャートである。なお、モード設定ダイヤル８を再生モードに設定して表示オン／オフボタン４を押下することにより、モニタ２には図１に示すように、「サイセイモード」、「チュウモン」およびデジタル画像データの撮影番号を示す「フレーム」の表示がなされる。まず、図２のステップＳ１においてインクリメントボタン５またはデクリメントボタン６を押下することにより、モニタ２に表示されたフレームの番号が変更される。すなわち、インクリメントボタン５を押下するごとにフレーム番号が１ずつ増加し、デクリメントボタン６を押下するごとにフレーム番号が１ずつ減少する。そしてこれによりモニタ２に表示すべきデジタル画像データのフレーム番号を選択する。なお、この場合、インクリメントボタン５およびデクリメントボタン６を一定時間（例えば３秒）押下し続けることによりフレーム番号を連続的に変更させるようにしてもよい。
【００２３】
次のステップＳ２においては実行ボタン７が押下されたか否かが判断され、実行ボタン７が押下されていれば、次のステップＳ３においてモニタ２に表示する画像を確定する。すなわち、確定されたフレーム番号のデジタル画像データをメモリカードから読み出し、このデジタル画像データを可視像としてモニタ２に表示する。一方、ステップＳ２が否定された場合は、モニタ２に表示する画像が確定されていないものとしてステップＳ１およびステップＳ２の処理を繰り返す。
【００２４】
表示画像の確定後、次のステップＳ４においては、レリーズボタン３が押下されているか否かが判断される。レリーズボタン３が押下されていない場合は、単に撮像した画像の観察のみ行っているものとして処理を終了する。レリーズボタン３が押下されている場合はステップＳ４が肯定され、次のステップＳ５において、レリーズボタン３を押下した状態において、インクリメントボタン５またはデクリメントボタン６を押下することにより、モニタ２に表示された画像の注文枚数が変更される。すなわち、インクリメントボタン５を押下するごとに、モニタ２における「チュウモン」の数字が１ずつ増加し、デクリメントボタン６を押下するごとに数字が１ずつ減少する。そしてこれによりモニタ２に表示された画像の注文枚数を設定する。この場合、インクリメントボタン５により注文枚数を増加し続けても所定の上限枚数以上（例えば１０枚）を越えることはなく、デクリメントボタン６により注文枚数を減少し続けても０枚より少なくなることはない。なお、インクリメントボタン５およびデクリメントボタン６を一定時間（例えば３秒）押下し続けることにより注文枚数を連続的に変更させるようにしてもよい。また、インクリメントボタン５およびデクリメントボタン６を一定時間押下し続けることにより注文枚数が０となるようにしてもよい。
【００２５】
次のステップＳ６においては、実行ボタン７が押下されたか否かが判断され、実行ボタン７が押下されていれば、次のステップＳ７においてモニタ２に表示された画像の注文枚数を確定させ、注文枚数に関するデータを対応するデジタル画像データとともにメモリカードに格納して処理をリターンする。一方、ステップＳ６が否定された場合は、モニタ２に表示された画像の注文枚数が確定されていないものとしてステップＳ５およびステップＳ６の処理を繰り返す。
【００２６】
このように、本実施形態においては、モード設定ダイヤル８により再生モードに設定されている場合において、既知のデジタルカメラに設けられているレリーズボタン３、インクリメントボタン５およびデクリメントボタン６を用いて、プリント時の注文枚数を設定するようにしたため、ボタンを増加させることなく、かつモニタ２に表示された画像を確認しながら注文枚数の設定を行うことができる。
【００２７】
なお、上記実施形態においては、実行ボタン７を押下することにより注文枚数を確定するようにしているが、レリーズボタン３を押下させることなくインクリメントボタン５あるいはデクリメントボタン６を操作することによりモニタ２に表示される画像を変更したときに注文枚数を確定するようにしてもよい。また、デジタルカメラのモードが再生モードから他のモード（カメラモード、消去モード）に移行したとき、あるいは電源が切断されたときに注文枚数を確定するようにしてもよい。このように注文枚数を確定することにより、ボタンを増加させることなく注文枚数を確定させることができる。
【００２８】
また、上記実施形態においては、レリーズボタン３を押下した状態においてインクリメントボタン５あるいはデクリメントボタン６を操作することにより、注文枚数を変更するようにしているが、モニタ２に表示される画像の確定後レリーズボタン３を押下した回数に応じて注文枚数を変更するようにしてもよい。この場合、レリーズボタン３を押下するごとに注文枚数が０から１ずつ増加し、上限値に達した後再度０に戻るよう設定される。なお、上記実施形態と同様に、レリーズボタン３を一定時間（例えば３秒）押下し続けることにより注文枚数を連続的に変更させるようにしてもよく、レリーズボタン３を一定時間押下し続けることにより注文枚数が０となるようにしてもよい。
【００２９】
さらに、上記実施形態にはモニタ２が装備されたデジタルカメラについて説明したが、モニタ２が装備されておらず、モード設定ダイヤル８により設定されたモードや、撮像時の露光状態などを文字として表示するための液晶表示部のみを備えたデジタルカメラにも本発明を適用することができる。例えば、モード設定ダイヤル８に注文モードを設け、この注文モードに設定されている状態において、液晶表示部を確認しながら、注文枚数を設定するデジタル画像データのフレーム番号をインクリメントボタン５およびデクリメントボタン６により選択し、選択した後上記実施形態と同様に、レリーズボタン３を押下しながらインクリメントボタン５およびデクリメントボタン６を操作して注文枚数を設定するものである。なお、この場合、注文枚数を設定するデジタル画像データの確定後、レリーズボタン３を押下した回数に応じて注文枚数を変更するようにしてもよい。
【００３０】
また、上記実施形態においては、モード設定ダイヤル８によりカメラのモードを再生モードに設定した後に注文枚数を設定するようにしているが、カメラモードにおいても注文枚数を設定することができる。すなわち、通常のデジタルカメラにおいては、カメラモードにおいてレリーズボタン３を押下した後、取得したデジタル画像データをメモリカードなどの記録媒体に記録するために通常３秒程度、レリーズボタンを押下してもシャッタが駆動されない状態が存在する。したがって、この時間内においてレリーズボタン３を押下した回数に応じて注文枚数を設定するようにしてもよい。この場合、モニタ２が装着されていないカメラ、あるいは再生モード、注文モードを備えていないカメラにおいても、容易に注文枚数を設定することができる。
【図面の簡単な説明】
【図１】本発明の実施形態によるデジタルカメラの構成を示す背面斜視図
【図２】本発明の実施形態において行われる処理を説明するフローチャート
【符号の説明】
１    カメラ本体
２    モニタ
３    レリーズボタン
４    表示オン／オフボタン
５    インクリメントボタン
６    デクリメントボタン
７    実行ボタン
８    モード設定ダイヤル
９    電源スイッチ
【図１】
0003853492.tif 000002
【図２】
0003853492.tif 000003